(57)【要約】【課題】  床パネルの熱伸縮に対応できるとともに、床パネルのずれを防止することができる床構造を提供する。【解決手段】床構造１は、建物側Ｂから屋外側Ｏに延出する床構造１であって、前記建物側Ｂの端部に近接する位置に上方の突出する突起部５が形成されたパネル敷設面材３と、外周縁の一部に連結部１０ａ，１０ｂを有し、互いに連結して前記パネル敷設面材３の上に敷き詰められる複数の床パネル４と、を備え、前記床パネル４のうち突起部５の上に配置される床パネル４の下面に前記突起部５を囲う規制部６が形成される。【選択図】図５
2018199973.tif 000002
【特許請求の範囲】
【請求項１】
建物側から屋外側に延出する床構造であって、
前記建物側の端部に近接する位置に上方へ突出する突起部が形成されたパネル敷設面材と、
外周縁の一部に連結部を有し、互いに連結して前記パネル敷設面材の上に敷き詰められる複数の床パネルと、を備え、
前記床パネルのうち前記突起部の上に配置される床パネルの下面に当該突起部を囲う規制部が形成されることを特徴とする床構造。
【請求項２】
前記規制部は前記突起部の床構造の延出方向と直交する方向の両側面から所定距離を開けた位置に形成されていることを特徴とする請求項１に記載の床構造。
【請求項３】
前記規制部は前記突起部の建物側の側面に当接することを特徴とする請求項１又は請求項２に記載の床構造。
【請求項４】
前記規制部は前記突起部の屋外側の側面から離間することを特徴とする請求項３に記載の床構造。
【請求項５】
前記建物には屋内から前記床構造に出入り可能な開口部が形成されており、
前記屋内の床面と前記床パネルとの間に段差がないフラット構造であることを特徴とする請求項３又は請求項４に記載の床構造。
【請求項６】
前記床パネルは、下面に、前記床構造の延出方向に沿って平行な複数の第一リブと、当該第一リブに直交する複数の第二リブとが形成されており、
前記規制部は、前記突起部を囲うように配置される前記第一リブ及び前記第二リブであることを特徴とする請求項１から請求項５のいずれかに記載の床構造。
【発明の詳細な説明】
【技術分野】
【０００１】
本発明は、ベランダ、バルコニー、又はテラスなどの屋外部の床を形成する床構造に関する。
【背景技術】
【０００２】
従来より、ベランダ、バルコニー、又はテラスなどの屋外部の床構造は、例えばコンクリート床や鋼製の折板などのパネル敷設面材の上に化粧材としての床パネルを複数枚並べて置敷きして形成されている（例えば特許文献１から特許文献３）。
【０００３】
このような床パネルの外周縁には、連結穴が設けられた雌連結部と、連結孔に挿入される雄連結部とが形成されており、互いに隣接する床パネル同士が連結されている。これらの床パネルの中には、床パネルがパネル敷設面材上で水平方向にずれることを抑制する床材ズレ防止具をパネル敷設面材に固定する発明が提案されている。
【先行技術文献】
【特許文献】
【０００４】
【特許文献１】特開２００１−２７１４８０号公報
【特許文献２】特開２００９−１１４８０２号公報
【特許文献３】特開２００９−８４７７８号公報
【発明の概要】
【発明が解決しようとする課題】
【０００５】
ところで、例えば樹脂系の床パネルのように、床パネルが熱伸縮する場合に、パネル敷設面材に床パネルが完全に拘束されていると、床パネルの一部が浮く又はパネル敷設面材に対して反るなどの問題が発生する可能性がある。しかし、日常の歩行によって床パネルが水平方向にずれることを防ぐためには床パネルの動きを規制する必要がある。
【０００６】
そこで、本発明は床パネルの熱伸縮に対応できるとともに、床パネルのずれを防止することができる床構造を提供することを目的とする。
【課題を解決するための手段】
【０００７】
本発明の床構造は、建物側から屋外側に延出する床構造であって、前記建物側の端部に近接する位置に上方へ突出する突起部が形成されたパネル敷設面材と、外周縁の一部に連結部を有し、互いに連結して前記パネル敷設面材の上に敷き詰められる複数の床パネルと、を備え、前記床パネルのうち前記突起部の上に配置される床パネルの下面に当該突起部を囲う規制部が形成されることを特徴としている。
【０００８】
本発明の床構造は、前記規制部は前記突起部の床構造の延出方向と直交する方向の両側面から所定距離を開けた位置に形成されていることを特徴としている。
【０００９】
本発明の床構造は、前記規制部は前記突起部の建物側の側面に当接することを特徴としている。
【００１０】
本発明の床構造は、前記規制部は前記突起部の屋外側の側面から離間することを特徴としている。
【００１１】
本発明の床構造は、前記建物には屋内から前記床構造に出入り可能な開口部が形成されており、前記屋内の床面と前記床パネルとの間に段差がないフラット構造であることを特徴としている。
【００１２】
本発明の床構造は、前記床パネルは、下面に、床構造の延出方向に沿って平行な複数の第一リブと、当該第一リブに直交する複数の第二リブとが形成されており、前記規制部は、前記突起部を囲うように配置される前記第一リブ及び前記第二リブであることを特徴としている。
【発明の効果】
【００１３】
本発明の床構造によると、パネル敷設面材の建物側の端部に近接する位置に上方の突出する突起部が形成されており、この突起部が床パネルの下面に形成された規制部が突起部を囲うように配置されるので、床パネルにパネル敷設面材上で水平方向にズレる外力が加わった場合でも、規制部が突起部に規制されて床パネルの過度なズレを防止することができる。突起部はパネル敷設面材の建物側の端部に近接する位置に形成されているので、床パネルは建物側の端部付近が最もずれ難いので、床パネルと建物との間に隙間ができることを防止することができ、建物の屋内側と床パネル側との間で移動する際に、隙間に足指を詰めることや足が引っ掛かることを防止することができる。また、全ての床パネルの動きを規制するのではなく、突起部の上に配置される床パネルの動きのみを突起部が規制しているので床パネルが熱伸縮した場合にも、建物から離れる側の床パネルが熱伸縮に応じて水平方向に移動できるので、熱伸縮を吸収することができ、パネルの浮きや反りを防止することができる。
【００１４】
本発明の床構造によると、前記突起部の床構造の延出方向と直交する方向の両側面から所定距離を開けた位置に規制部が形成されているので、床パネルはパネル敷設面材に対して床構造の延出方向と直交する方向に所定距離分移動することが可能であり、パネルの床構造の延出方向と直交する方向への熱伸縮などを吸収することができ、パネルの浮きや反りを防止することができる。
【００１５】
本発明の床構造によると、規制部が突起部の建物側の側面に当接するので、最も建物側の床パネルが床構造の延出方向に移動することを確実に防止でき、床パネルと建物との間に隙間ができることを防止して、建物の屋内側と床パネル側との間で移動する際に、隙間に足指を詰めることや足が引っ掛かることを防止することができる。
【００１６】
本発明の床構造によると、規制部は突起部の屋外側の側面から離間しているので、床パネルをパネル敷設面材に置敷きする際に、突起部を規制部で囲まれた空間内に配置しやすくすることができ、突起部の建物側の側面は規制部に当接しているので、床パネルと建物との間の隙間の発生を防止しつつ施工性を高めることができる。
【００１７】
本発明の床構造によると、建物には屋内から床構造に出入り可能な開口部が形成されており、屋内の床面と床パネルとの間に段差がないフラット構造であるので、開口部の下枠と床パネルとの間に隙間が発生しないことで、屋内の床面から床パネルまでの移動がスムーズであり、隙間の発生によって足指を詰めることや足が引っ掛かることを防止することができる。
【００１８】
本発明の床構造によると、床パネルの下面に、平行な複数の第一リブと、当該第一リブに直交する複数の第二リブとが形成されており、突起部はこれら第一リブ及び第二リブによって形成されているので、もともと床パネルが有していた下面のリブを用いて規制部を形成しており、新たに突起部を囲う部材を成形する必要がない。
【図面の簡単な説明】
【００１９】
【図１】床構造の全体構成を説明する断面図。
【図２】図１のＡ部分拡大図。
【図３】床パネルの下面形状を説明する斜視図。
【図４】パネル敷設面材上に床パネルを敷き詰める状態を説明する図。
【図５】床パネル裏面と突起部との位置関係を説明する図。
【図６】図５のＩ部分及びＩＩ部分拡大図。
【図７】床パネル同士を連結する雄連結部及び雌連結部の構成を説明する図。
【発明を実施するための形態】
【００２０】
以下、本発明の床構造１の最良の実施形態について各図を参照しつつ説明する。本実施形態の床構造１は、図１に示すように、建物側Ｂから屋外側Ｏに延出する片持ちのバルコニーである。床構造１は、片持ちのバルコニーに限定されるものではなく、例えばベランダ、バルコニー、又はテラスなどの屋外部の床構造１であり、建物側Ｂから屋外側Ｏに延出する構造であればどのような床構造１であっても良い。なお、本実施形態において、「建物側」は床構造１から見て水平方向に建物の開口部２が設けられている側をいい、「屋外側」は床構造１から見て当該建物側Ｂの反対側をいう。
【００２１】
図１に示すように、床構造１は、建物の躯体に固定された受けプレート１１によって支持される床フレーム１２と、床フレーム１２の上に固定される勾配床ユニット１３と、勾配床ユニット１３の上に床構造１の延出側の端部と建物側Ｂの端部とにそれぞれ設けられる大引き１４と、大引き１４の上に架設されるパネル敷設面材３と、パネル敷設面材３の上に敷き詰められる複数の床パネル４とを備えた２重床である。
【００２２】
なお、本発明における「床構造」は２重床のものに限られるものではなく、勾配床の上に床パネル４が直接敷き詰められる１重の床構造であっても良い。このような１重の床構造においては勾配床が本発明におけるパネル敷設面材を構成している。
【００２３】
パネル敷設面材３は本実施形態においては山と谷とが交互に形成される鋼製の折板である。パネル敷設面材３は大引き１４にそれぞれビスで固定されている。パネル敷設面材３は床構造１の建物側Ｂの端部に近接する位置に上方に突出する突起部５が形成されている。突起部５は、図２、図４、及び図５に示すように、円柱形状であり、突出する高さは床パネル４の規制部６の間に挿入した場合に上端が床パネル４に接触しない高さであり、突起部５の径は、床パネル４の規制部６の間に挿入可能な寸法である。
【００２４】
床パネル４は、図３及び図４に示すように、上面が僅かな凹凸を有する装飾面であり、下面に床構造１の延出方向に沿って平行な複数の第一リブ７と、当該第一リブ７に直交する複数の第二リブ８とが形成される樹脂製の矩形の面材である。図５及び図６（Ｉ）に示すように、床パネル４のうち最も建物側Ｂの床パネル４の下面に形成される第一リブ７及び第二リブ８が突起部５を囲う規制部６を構成している。図５に示すように、突起部５は最も建物側Ｂの床パネル４の建物側Ｂから数えて２番目の第二リブ８と３番目の第二リブ８の間に配置されている。突起部５の位置はこれに限定されるものではなく、少なくとも最も建物側Ｂの床パネル４の少なくとも中心線よりも建物側Ｂに形成されていることが好ましい。
【００２５】
図６（Ｉ）に示すように、規制部６は２本の第一リブ７と２本の第二リブ８とによって矩形に形成されている。規制部６の第一リブ７は、突起部５の床構造１の延出方向と直交する方向の両側面から所定距離Ｌ１を開けた位置に配置されている。本実施形態においては突起部５から規制部６の両側の第一リブ７までの距離Ｌ１は９ｍｍずつである。このように規制部６の第一リブ７と突起部５との間に距離Ｌ１が開けられていることで、床パネル４が熱伸縮によって床構造１の延出方向と直交する方向に伸縮した場合であっても、第一リブ７と突起部５の間の隙間が熱伸縮による床パネル４の移動を吸収することで、パネル敷設面材３に対する床パネル４の反りや浮きを抑制できる。
【００２６】
また、規制部６の第二リブ８にうち突起部５の建物側Ｂに配置される第二リブ８は突起部５の側面に当接するように配置されている。このように建物側Ｂの第二リブ８が突起部５と当接することで、床パネル４が床構造１の延出方向に移動して、当該床パネル４と建物との間に隙間ができることを防止することができるので、建物の屋内側と床パネル４側との間で移動する際に、隙間に足指を詰めることや足が引っ掛かることを防止することができる。そして、規制部６の第二リブ８のうち突起部５の屋外側Ｏに配置される第二リブ８は突起部５の側面から距離Ｌ２を開けて離間するように配置されているので、床パネル４を敷設する際に、規制部６に囲まれた空間内に突起部５が簡単に挿入されるので施工性に優れる。
【００２７】
なお本発明の床パネル４は樹脂製に限定されるものではなく、例えば上面が磁器タイル、天然石、木材などで形成されていても良い。床パネル４の下面には第一リブ７と第二リブ８との対角線の一部に第一リブ７及び第二リブ８よりも突出長さの短い斜線リブ９が形成されている。第一リブ７、及び第二リブ８は、床パネル４をパネル敷設面材３に載置したときに、当該パネル敷設面材３の上面に当接する凸部２１と、雨水等がパネル敷設面材３上を流れる際に水の流路となるように窪んだ凹部２２とが、それぞれ形成されている。
【００２８】
また、床パネル４の外周縁のうち隣り合う２辺には上下方向に貫通する環状に形成された雌連結部１０ａが側方に延びて形成されている。また、残りの２辺の雌連結部１０ａに対応する位置には雄連結部１０ｂが下方に突出して形成されている。雌連結部１０ａに雄連結部１０ｂが挿入されることで、隣接する床パネル４同士は連結される。本発明における「連結部」は雌連結部１０ａ及び雄連結部１０ｂがいずれも該当する。
【００２９】
床構造１が延出する建物は当該床構造１に隣接する位置に開口部２が形成されており、開口部２を通じて建物の屋内から床構造１に出入り可能となっている。開口部２は、本実施形態においては引き違いの掃き出し窓であるが、これに限られるものではなく、開き戸や折れ戸などであっても良く、屋内から床構造１に出入り可能であればどのような開口部２であっても良い。本実施形態においては屋内の床面１５と床パネル４との間に段差がないフラット構造となっている。すなわち、屋内の床面１５及び床パネル４の上面の高さが略面一であり、開口部２の下枠２ａが屋内の床面１５及び床パネル４の上面の高さからほとんど突出しない形状に形成されている。このようなフラット構造とすることで、子供等でも簡単に屋内から床構造１に出入りすることができるが、前述のように突起部５と突起部５の建物側Ｂの第二リブ８とが当接して、床パネル４と建物との間に隙間ができることを防止しているので、隙間に足指を詰めることや足が引っ掛かることを防止することができる。
【００３０】
床パネル４をパネル敷設面材３の上に敷き詰めるときには、図４に示すように、床パネル４のうち最も建物側Ｂの床パネル４を当該床パネル４の下面に第一リブ７及び第二リブ８によって形成されている規制部６に囲われた空間に突起部５が挿入されるように、当該床パネル４をパネル敷設面材３上に載置する。そして、最も建物側Ｂの床パネル４に隣接するように更に床パネル４をパネル敷設面材３上に載置する。このとき、図６（ＩＩ）及び図７に示すように床パネル４の雌連結部１０ａに隣接する床パネル４の雄連結部１０ｂが挿入されて隣接する床パネル４同士は連結される。雌連結部１０ａ及び雄連結部１０ｂの連結部は、雌連結部１０ａの孔が雄連結部１０ｂよりも大きく形成されており、挿入された雄連結部１０ｂと雌連結部１０ａの内側面との間に遊びしろＰとなる間隔を有している。これによって、隣接して連結される床パネル４同士は互いに当該遊びしろＰの範囲で接近及び離反可能に連結される。
【００３１】
したがって、床パネル４の熱伸縮をこの雄連結部１０ｂと雌連結部１０ａとの間の遊びしろＰでも吸収することができ、床パネル４が置敷された床構造１の周縁に大きな隙間ができることを防止することができる。
【００３２】
なお、本発明の実施の形態は上述の実施形態に限ることなく、本発明の思想の範囲を逸脱しない範囲で適宜変更することができることは云うまでもない。
【産業上の利用可能性】
【００３３】
本発明に係る床構造１は、例えばバルコニー、ベランダ、テラスなどの屋外部の床を構成する床構造１として好適に用いることができる。
【符号の説明】
【００３４】
１      床構造
２      開口部
３      パネル敷設面材
４      床パネル
５      突起部
６      規制部
７      第一リブ
８      第二リブ
１０ａ  雌連結部（連結部）
１０ｂ  雄連結部（連結部）
【図１】
2018199973.tif 000003
【図２】
2018199973.tif 000004
【図３】
2018199973.tif 000005
【図４】
2018199973.tif 000006
【図５】
2018199973.tif 000007
【図６】
2018199973.tif 000008
【図７】
2018199973.tif 000009
【手続補正書】
【提出日】平成30年8月8日(2018.8.8)
【手続補正１】
【補正対象書類名】特許請求の範囲
【補正対象項目名】全文
【補正方法】変更
【補正の内容】
【特許請求の範囲】
【請求項１】
建物側から屋外側に延出する床構造であって、
前記建物側の端部に近接する位置に上方へ突出する突起部が形成されたパネル敷設面材と、
外周縁の一部に連結部を有し、互いに連結して前記パネル敷設面材の上に敷き詰められる複数の床パネルと、を備え、
前記床パネルのうち前記突起部の上に配置される床パネルの下面に当該突起部を囲う規制部が形成され、
前記床パネルは、下面に、前記床構造の延出方向に沿って平行な複数の第一リブと、当該第一リブに直交する複数の第二リブとが形成されており、
前記規制部は、前記突起部を囲うように配置される前記第一リブ及び前記第二リブであることを特徴とする床構造。
【請求項２】
前記規制部は前記突起部の床構造の延出方向と直交する方向の両側面から所定距離を開けた位置に形成されていることを特徴とする請求項１に記載の床構造。
【請求項３】
前記規制部は前記突起部の建物側の側面に当接することを特徴とする請求項１又は請求項２に記載の床構造。
【請求項４】
前記規制部は前記突起部の屋外側の側面から離間することを特徴とする請求項３に記載の床構造。
【請求項５】
前記建物には屋内から前記床構造に出入り可能な開口部が形成されており、
前記屋内の床面と前記床パネルとの間に段差がないフラット構造であることを特徴とする請求項３又は請求項４に記載の床構造。
【手続補正２】
【補正対象書類名】明細書
【補正対象項目名】０００７
【補正方法】変更
【補正の内容】
【０００７】
本発明の床構造は、建物側から屋外側に延出する床構造であって、前記建物側の端部に近接する位置に上方へ突出する突起部が形成されたパネル敷設面材と、外周縁の一部に連結部を有し、互いに連結して前記パネル敷設面材の上に敷き詰められる複数の床パネルと、を備え、前記床パネルのうち前記突起部の上に配置される床パネルの下面に当該突起部を囲う規制部が形成され、前記床パネルは、下面に、前記床構造の延出方向に沿って平行な複数の第一リブと、当該第一リブに直交する複数の第二リブとが形成されており、前記規制部は、前記突起部を囲うように配置される前記第一リブ及び前記第二リブであることを特徴としている。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
本発明の床構造によると、パネル敷設面材の建物側の端部に近接する位置に上方の突出する突起部が形成されており、この突起部が床パネルの下面に形成された規制部が突起部を囲うように配置されるので、床パネルにパネル敷設面材上で水平方向にズレる外力が加わった場合でも、規制部が突起部に規制されて床パネルの過度なズレを防止することができる。突起部はパネル敷設面材の建物側の端部に近接する位置に形成されているので、床パネルは建物側の端部付近が最もずれ難いので、床パネルと建物との間に隙間ができることを防止することができ、建物の屋内側と床パネル側との間で移動する際に、隙間に足指を詰めることや足が引っ掛かることを防止することができる。また、全ての床パネルの動きを規制するのではなく、突起部の上に配置される床パネルの動きのみを突起部が規制しているので床パネルが熱伸縮した場合にも、建物から離れる側の床パネルが熱伸縮に応じて水平方向に移動できるので、熱伸縮を吸収することができ、パネルの浮きや反りを防止することができる。そして、床パネルの下面に、平行な複数の第一リブと、当該第一リブに直交する複数の第二リブとが形成されており、突起部はこれら第一リブ及び第二リブによって形成されているので、もともと床パネルが有していた下面のリブを用いて規制部を形成しており、新たに突起部を囲う部材を成形する必要がない。
【手続補正５】
【補正対象書類名】明細書
【補正対象項目名】００１８
【補正方法】削除
【補正の内容】